(57)【要約】【課題】  より着脱の容易な靴を提供する。【解決手段】  靴１０は、足の甲を覆う舌片部１３と、足の一方側面を覆い舌片部１３上に部分的に重なる第１側皮部１１と、足の他方側面を覆い舌片部１３上に部分的に重なる第２側皮部１２と、第１側皮部１１と第２側皮部１２とを分離可能に接続する第１接続バンド１４とを備える。舌片部１３と第１接続バンド１４とは、一体的に結合されている。【選択図】      図１
2006334230.tif 000002
【特許請求の範囲】
【請求項１】
足の甲を覆う舌片部と、足の一方側面を覆い前記舌片部上に部分的に重なる第１側皮部と、足の他方側面を覆い前記舌片部上に部分的に重なる第２側皮部と、前記第１側皮部と第２側皮部とを分離可能に接続する接続バンドとを備えた靴において、
前記舌片部と前記接続バンドとが一体的に結合されていることを特徴とする、靴。
【請求項２】
前記舌片部は、横に延びる部分と縦に延びる部分とからなるＴ字形状を有しており、
前記横に延びる部分が前記接続バンドとして機能する、請求項１に記載の靴。
【請求項３】
前記接続バンドは前記第１側皮部または第２側皮部のいずれか一方に固定されている、請求項１または２に記載の靴。
【請求項４】
前記接続バンドの前記第１側皮部または第２側皮部のいずれか一方に固定されていない側の端部は、第１側皮部または第２側皮部のいずれか他方に着脱自在に接続される、請求項３に記載の靴。
【請求項５】
前記第１側皮部と第２側皮部とを接続する接続バンドは複数設けられ、
前記舌片部に接続された接続バンドは、前記複数の接続バンドのうちの、最も上に設けられる、請求項１から４のいずれかに記載の靴。
【発明の詳細な説明】
【技術分野】
【０００１】
この発明は靴に関し、特に、履きやすい靴に関する。
【背景技術】
【０００２】
履きやすさを考慮した靴が、たとえば特開２００４−２６１４２１号公報（特許文献１）に開示されている。特許文献１に開示された靴においては、足の甲の一方側を覆う一方側の側皮部と、足の甲の他方側を覆う他方側の側皮部とが、一方側の側皮部の端縁部に固定され他方側の側皮部に延びる接続バンドによって接続される。接続バンドと側皮部とは面ファスナによって接続されているため、面ファスナを開閉するだけで靴の開口部を広げることができる。
【特許文献１】２００４−２６１４２１号公報（図３から図６およびそれに関連する記載）
【発明の開示】
【発明が解決しようとする課題】
【０００３】
従来の、履きやすさを考慮した靴は、上記のように構成されていた。靴の脱ぎ履きの際に、面ファスナを開閉して、靴の着脱を容易にしていた。
【０００４】
しかしながら、このような構成では、接続バンドを開いても、その下部に足の甲を覆う舌片部が存在するため、この舌片部が、靴を着脱する場合に邪魔になる。これは幼児や子供用の靴では特に問題になる。
【０００５】
この発明は、上記のような問題点に鑑みてなされたもので、より着脱の容易な靴を提供することを目的とする。
【課題を解決するための手段】
【０００６】
この発明にかかる靴は、足の甲を覆う舌片部と、足の一方側面を覆い舌片部上に部分的に重なる第１側皮部と、足の他方側面を覆い前記舌片部上に部分的に重なる第２側皮部と、第１側皮部と第２側皮部とを分離可能に接続する接続バンドとを備える。舌片部と接続バンドとは一体的に結合されている。
【０００７】
舌片部と接続バンドとが一体的に結合されているため、両側皮部を接続する接続バンドを外して持ち上げれば、舌片部も同時に持ち上げることができ、靴の開口をワンタッチで広げることができる。
【０００８】
その結果、より着脱の容易な靴を提供できる。
この発明の一つの実施の形態においては、舌片部は、横に延びる部分と縦に延びる部分とからなるＴ字形状を有しており、横に延びる部分が接続バンドとして機能する。
【０００９】
好ましくは、接続バンドは第１側皮部または第２側皮部のいずれか一方に固定されていてもいよい。
【００１０】
この場合、接続バンドの第１側皮部または第２側皮部のいずれか一方に固定されていない側の端部は、第１側皮部または第２側皮部のいずれか他方に着脱自在に接続される。
【００１１】
さらに好ましくは、第１側皮部と第２側皮部とを接続する接続バンドは複数設けられ、舌片部に接続された接続バンドは、複数の接続バンドのうちの、最も上に設けられる。
【発明を実施するための最良の形態】
【００１２】
以下、この発明の一実施の形態を図面を参照して説明する。図１は、この発明の一実施形態にかかる靴（右足用）を、乳幼児用の靴に適用した場合の、幼児が靴を履いた状態を示す斜視図であり、図２は、靴を着脱するときの状態を示す図である。図３は図１においてＩＩＩで示す正面から見た正面図であり、第１接続バンド１４のみを留めて、第２および第３接続バンド１８，１９を開いた状態示す。なお、左足用も同様の構成である。
【００１３】
図１から図３を参照して、靴１０は、足を載置する図示のない靴底と、靴底に連続して足の甲を覆う舌片部１３と、足の一方側面を覆い舌片部１３上に部分的に重なる第１側皮部１１と、足の他方側面を覆い舌片部１３上に部分的に重なる第２側皮部１２と、第１側皮部１１と第２側皮部１２とを分離可能に接続する第１接続バンド１４とを備える。舌片部１３と第１接続バンド１４とは一体的に結合されている。
【００１４】
すなわち、舌片部１３は、横に延びる接続バンドとして機能する部分と縦に延びる足の甲を覆う部分とからなるＴ字形状を有している。
【００１５】
なお、第１側皮部１１および第２側皮部１２とは、第１接続バンド１４以外に、足の甲側からつま先側に順に設けられた第２接続バンド１８および第３接続バンド１９によっても接続されている。
【００１６】
ここでは、第１接続バンド１４は、第２側皮部１２の上部にその一端が固定されている。第１接続バンド１４の他端１４ａにはその裏面に面ファスナ２１ａが設けられ、これが第１側皮部１１に設けられた面ファスナ２１ｂと係合可能となっている。
【００１７】
第２接続バンド１８および第３接続バンド１９は、舌片部１３と接続されていない点を除いて、第１接続バンド１４と同様である。すなわち、第２、第３接続バンド１８，１９は、その一端を第２側皮部１２に固定され、他端に第１側皮部１１に設けられた面ファスナ２２ｂ，２３ｂに係合可能な面ファスナ２２ａ、２３ａが設けられている。
【００１８】
子供が靴１０を履くときには、図２に示すように、第２および第３接続バンドとともに、面ファスナを外して第１接続バンド１４を上方に持ち上げるが、第１接続バンド１４は舌片部１３と一体化されているため、靴１０は踵部分から足のつま先まで開口部が大きくひろがる。その結果、子供は容易に靴１０を履くことができる。
【００１９】
次に、この発明の他の実施の形態について説明する。図４はこの発明の他の実施の形態を示す図である。図４を参照して、この実施の形態における靴３０においては、舌片部１３と一体化された第１接続バンド１４は、その両端が第１および第２側皮部１１，１２に着脱自在に設けられる。すなわち、先の実施の形態においては、第１接続バンド１４の一端部は第２側皮部１２に固定されていたが、この実施の形態においては、第１接続バンド１４の第２側皮部側の端部１４ｂの裏面に面ファスナ３４ａを設け、対応する第２側皮部１２に面ファスナ３４ｂを設け、両者によって第１接続バンド１４を着脱自在とした。なお、上記以外の部分については、その構成は先の実施の形態と同様であるので、同一部分に同一符号を付してその説明を省略する。
【００２０】
この実施の形態においては、舌片部１３に接続された第１接続バンド１４を第１および第２側皮部１１，１２に対して着脱自在に取付けるため、靴の着脱時により広い開口部が得られる。
【００２１】
次にこの発明のさらに他の実施の形態について説明する。図５はこの発明のさらに他の実施の形態に係る、舌片部４１を示す図である。ここでも、舌片部４１は、横に延びる接続バンドとして機能する部分と縦に延びる足の甲を覆う部分とからなるＴ字形状を有している。
【００２２】
図５を参照して、この実施の形態においては、舌片部４１の上端部近くに通路４１ａを設け、通路４１ａを通って第１接続バンド４２を設ける。第１接続バンド４２の両端部の裏面には、先の実施の形態において示したように、第１および第２側皮部１１，１２に設けられた面ファスナ２１ｂ，３４ｂと着脱自在に接続可能なように、面ファスナ２１ａ、３４ａがそれぞれ設けられている。なお、この場合、第１接続バンド４２は通路４１ａに固定または着脱自在に取付けられていてもよい。この場合においても、先の実施の形態と同様の効果を奏する。
【００２３】
上記実施の形態においては、舌片部と一体化されない接続バンドを２つ設けた場合について説明したが、これに限らず、舌片部と接続されない接続バンドは設けなくてもよいし、任意の数だけ設けてもよい。
【００２４】
なお、上記実施の形態においては、この発明を幼児用の靴に利用した場合を例にあげて説明したが、これに限らず、大人用や老人用の靴にも同様に適用が可能である。
【００２５】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００２６】
この発明にかかる、靴は、履くときに開口部が大きくなるため、靴の着脱が容易な靴として有利に利用される。
【図面の簡単な説明】
【００２７】
【図１】この発明の一実施の形態にかかる靴の使用時を示す斜視図である。
【図２】靴の着脱時の状態を示す斜視図である。
【図３】図１においてＩＩＩで示す部分の正面図である。
【図４】この発明の他の実施の形態に係る靴の斜視図である。
【図５】この発明のさらに他の実施の形態に係る舌片部と接続バンドとを示す図である。
【符号の説明】
【００２８】
１０，３０  幼児用靴、１１  第１側皮部、１２  第２側皮部、１３  舌片部、１４  第１接続バンド、１８  第２接続バンド、１９  第３接続バンド。
【図１】
2006334230.tif 000003
【図２】
2006334230.tif 000004
【図３】
2006334230.tif 000005
【図４】
2006334230.tif 000006
【図５】
2006334230.tif 000007